【手続補正書】
【提出日】平成26年10月7日(2014.10.7)
【手続補正１】
【補正対象書類名】特許請求の範囲
【補正対象項目名】全文
【補正方法】変更
【補正の内容】
【特許請求の範囲】
【請求項１】
患者の皮膚部位から体液を採取するために、持ち運び可能な携帯型の医療診断装置（１０）において用いられる、複数のランセットを備えるランセットハウジングアセンブリ（３０；４００；４３０；４５２；５００；６００）であって、該ランセットハウジングアセンブリ（３０；４００；４３０；４５２；５００；６００）が、
複数のランセット区画（４０；４０５；４４４；４５８；５０５；６０５）を備えるハウジング構造であって、前記ランセット区画（４０；４０５；４４４；４５８；５０５；６０５）の少なくとも１つが、
外側に向く面（６４）、
内側に向く面（６６）、
前記外側に向く面（６４）に配置され、前記医療診断装置（１０）のランセットポート（２０）に整列するように配列および構成される開口部（６８；４４６；４７４；５４４；６３６）、および
前記外側に向く面（６４）と前記内側に向く面（６６）との間に延びる床部（７０、８４；４２４）
を備えるハウジング構造と、
前記床部（７０、８４；４２４）上、かつ前記ランセット区画（４０；４０５；４４４；４５８；５０５；６０５）内に配置される試薬材料（７２；４２６；４３６；４７８；５３２；６５０）と、
皮膚貫入端（９０；４０８；４３４；４６２；５０８；６０８）および該皮膚貫入端（９０；４０８；４３４；４６２；５０８；６０８）に隣接する血液輸送部（９２；４１０；４６４；５１０；６１０）を備える、少なくとも１つの前記ランセット区画（４０；４０５；４４４；４５８；５０５；６０５）に配置されるランセット構造（２４；４０６；４３２；４５０；５０６；６０６）と
を備え、前記皮膚貫入端（９０；４０８；４３４；４６２；５０８；６０８）は、前記開口部（６８；４４６；４７４；５４４；６３６）を通して延出されるときに、一定量の血液を提供するために皮膚部位で患者の皮膚に貫入するような形状および大きさにされ、前記血液輸送部（９２；４１０；４６４；５１０；６１０）は、前記皮膚貫入端（９０；４０８；４３４；４６２；５０８；６０８）から前記一定量の血液を受け取り、該一定量の血液を前記皮膚部位から離して前記試薬材料（７２；４２６；４３６；４７８；５３２；６５０）へ運ぶように配列および構成されており、
前記ランセットハウジングアセンブリは、前記外側に向く面（６４）と前記内側に向く面（６６）との間で、少なくとも１つの前記ランセット区画（４０；４０５；４４４；４５８；５０５；６０５）の１つまたは２つ以上の側壁（７８、８０；４４２）に沿って延びる１つまたは２つ以上のランセットガイドレール（８６、８８；４１８；４４０；４７０；６３２）をさらに備え、
前記ランセット構造（２４；４０６；４３２；４５０；５０６；６０６）は、前記１つまたは２つ以上のランセットガイドレール（８６、８８；４１８；４４０；４７０；６３２）上に前記ランセット構造（２４；４０６；４３２；４５０；５０６；６０６）を支持する支持面（６３４）を備えたレール走行構造を含んでおり、
前記ランセットハウジングアセンブリは、前記側壁（７８、８０；４４２）の１つまたは２つ以上に形成される１つまたは２つ以上のドロップダウンスロット（７４、７６、８１）をさらに備え、前記レール走行構造が、前記ランセット構造（２４；４０６；４３２；４５０；５０６；６０６）が後退すると前記皮膚貫入端（９０；４０８；４３４；４６２；５０８；６０８）が前記試薬材料（７２；４２６；４３６；４７８；５３２；６５０）に向かって移動するように、前記１つまたは２つ以上のドロップダウンスロット（７４、７６、８１）に整列するように配置されており、
前記ランセット構造（２４；４０６；４３２；４５０；５０６；６０６）の前記皮膚貫入端（９０；４０８；４３４；４６２；５０８；６０８）は、前記開口部（６８；４４６；４７４；５４４；６３６）を通して前記皮膚貫入端（９０；４０８；４３４；４６２；５０８；６０８）を延伸させる前は、前記外側に向く面（６４）における前記開口部（６８；４４６；４７４；５４４；６３６）の下面（１０６）上に支持されるランセットハウジングアセンブリ（３０；４００；４３０；４５２；５００；６００）。
【請求項２】
前記試薬材料（７２；４２６；４３６；４７８；５３２；６５０）が、前記外側に向く面における前記開口部（６８；４４６；４７４；５４４；６３６）から垂直にオフセットし、かつ前記ハウジング構造内にある請求項１記載のランセットハウジングアセンブリ（３０；４００；４３０；４５２；５００；６００）。
【請求項３】
前記ランセット構造（２４；４０６；４３２；４５０；５０６；６０６）が後退すると前記皮膚貫入端（９０；４０８；４３４；４６２；５０８；６０８）が前記試薬材料（７２；４２６；４３６；４７８；５３２；６５０）に向かって移動するように、前記ランセット構造（２４；４０６；４３２；４５０；５０６；６０６）に対して付勢力を与える付勢機構（１０８）をさらに備える請求項１または２記載のランセットハウジングアセンブリ（３０；４００；４３０；４５２；５００；６００）。
【請求項４】
体液を採取するための持ち運び可能な携帯型の医療診断装置（１０）であって、
保護筐体（１４）と、
生理学的測定を容易にする制御装置を含む測定システム（３２）と、
前記測定システム（３２）に接続され、前記生理学的測定に関する情報を表示する表示装置（１２）と、
複数のランセット区画（４０；４０５；４４４；４５８；５０５；６０５）を備えるハウジング構造であって、前記ランセット区画（４０；４０５；４４４；４５８；５０５；６０５）の少なくとも１つが、
外側に向く面（６４）、
内側に向く面（６６）、
前記外側に向く面（６４）に配置され、前記医療診断装置（１０）のランセットポート（２０）に整列するように配列および構成される開口部（６８；４４６；４７４；５４４；６３６）、および
前記外側に向く面（６４）と前記内側に向く面（６６）との間に延びる床部（７０、８４；４２４）
を備えるハウジング構造と、
前記床部（７０、８４；４２４）上、かつ前記ランセット区画（４０；４０５；４４４；４５８；５０５；６０５）内に配置される試薬材料（７２；４２６；４３６；４７８；５３２；６５０）と、
皮膚貫入端（９０；４０８；４３４；４６２；５０８；６０８）および該皮膚貫入端（９０；４０８；４３４；４６２；５０８；６０８）に隣接する血液輸送部（９２；４１０；４６４；５１０；６１０）を備える、少なくとも１つの前記ランセット区画（４０；４０５；４４４；４５８；５０５；６０５）に配置されるランセット構造（２４；４０６；４３２；４５０；５０６；６０６）と
を備え、前記皮膚貫入端（９０；４０８；４３４；４６２；５０８；６０８）は、前記開口部（６８；４４６；４７４；５４４；６３６）を通して延出されるときに、一定量の血液を提供するために皮膚部位で患者の皮膚に貫入するような形状および大きさにされ、前記血液輸送部（９２；４１０；４６４；５１０；６１０）は、前記皮膚貫入端（９０；４０８；４３４；４６２；５０８；６０８）から前記一定量の血液を受け取り、該一定量の血液を前記皮膚部位から離して前記試薬材料（７２；４２６；４３６；４７８；５３２；６５０）へ運ぶように配列および構成されており、
前記装置は、前記外側に向く面（６４）と前記内側に向く面（６６）との間で、少なくとも１つの前記ランセット区画（４０；４０５；４４４；４５８；５０５；６０５）の１つまたは２つ以上の側壁（７８、８０；４４２）に沿って延びる１つまたは２つ以上のランセットガイドレール（８６、８８；４１８；４４０；４７０；６３２）をさらに備え、
前記ランセット構造（２４；４０６；４３２；４５０；５０６；６０６）は、前記１つまたは２つ以上のランセットガイドレール（８６、８８；４１８；４４０；４７０；６３２）上に前記ランセット構造（２４；４０６；４３２；４５０；５０６；６０６）を支持する支持面（６３４）を備えたレール走行構造を含んでおり、
前記装置は、前記側壁（７８、８０；４４２）の１つまたは２つ以上に形成される１つまたは２つ以上のドロップダウンスロット（７４、７６、８１）をさらに備え、前記レール走行構造が、前記ランセット構造（２４；４０６；４３２；４５０；５０６；６０６）が後退すると前記皮膚貫入端（９０；４０８；４３４；４６２；５０８；６０８）が前記試薬材料（７２；４２６；４３６；４７８；５３２；６５０）に向かって移動するように、前記１つまたは２つ以上のドロップダウンスロット（７４、７６、８１）に整列するように配置されており、
前記ランセット構造（２４；４０６；４３２；４５０；５０６；６０６）の前記皮膚貫入端（９０；４０８；４３４；４６２；５０８；６０８）は、前記ランセット構造（２４；４０６；４３２；４５０；５０６；６０６）を延伸させる前は、前記外側に向く面（６４）で前記開口部（６８；４４６；４７４；５４４；６３６）の下面（１０６；６３４）上に支持される持ち運び可能な携帯型の医療診断装置（１０）。
【請求項５】
前記試薬材料（７２；４２６；４３６；４７８；５３２；６５０）が、前記外側を向く面における前記開口部（６８；４４６；４７４；５４４；６３６）から垂直にオフセットし、かつ前記ハウジング構造内にある請求項４記載の医療診断装置（１０）。
【請求項６】
前記皮膚貫入端（９０；４０８；４３４；４６２；５０８；６０８）が前記試薬材料（７２；４２６；４３６；４７８；５３２；６５０）に向かって移動するように、前記ランセット構造（２４；４０６；４３２；４５０；５０６；６０６）に対して付勢力を与える付勢機構（１０８）をさらに備える請求項４記載の医療診断装置（１０）。
【請求項７】
前記ランセット構造（２４；４０６；４３２；４５０；５０６；６０６）に操作可能に接続されるモータをさらに備える請求項４記載の医療診断装置（１０）。
【請求項８】
患者の皮膚部位から体液を採取するための持ち運び可能な携帯型の医療診断装置（１０）において、ランセットハウジングアセンブリ（３０；４００；４３０；４５２；５００；６００）内に設けられる１つまたは２つ以上のランセット構造（２４；４０６；４３２；４５０；５０６；６０６）の動作を制御する方法であって、
皮膚貫入端（９０；４０８；４３４；４６２；５０８；６０８）および該皮膚貫入端（９０；４０８；４３４；４６２；５０８；６０８）に隣接する血液輸送部（９２；４１０；４６４；５１０；６１０）を備える前記ランセット構造（２４；４０６；４３２；４５０；５０６；６０６）を、前記ランセットハウジングアセンブリ（３０；４００；４３０；４５２；５００；６００）の少なくとも１つのランセット区画（４０；４０５；４４４；４５８；５０５；６０５）に配置すること、
前記医療診断装置（１０）のポート（２０）を通して前記皮膚貫入端（９０；４０８；４３４；４６２；５０８；６０８）を延出し、一定量の血液を提供するために前記皮膚部位で患者の皮膚に貫入すること、
前記皮膚貫入端（９０；４０８；４３４；４６２；５０８；６０８）で前記一定量の血液を受け取ること、および
前記血液輸送部（９２；４１０；４６４；５１０；６１０）を用いて、前記一定量の血液を前記皮膚部位から離して試薬材料（７２；４２６；４３６；４７８；５３２；６５０）へ運ぶこと
を備え、
前記ランセットハウジングアセンブリは、前記ランセット区画（４０；４０５；４４４；４５８；５０５；６０５）の外側に向く面（６４）と内側に向く面（６６）との間で、少なくとも１つの前記ランセット区画（４０；４０５；４４４；４５８；５０５；６０５）の１つまたは２つ以上の側壁（７８、８０；４４２）に沿って延びる１つまたは２つ以上のランセットガイドレール（８６、８８；４１８；４４０；４７０；６３２）をさらに備え、
前記ランセット構造（２４；４０６；４３２；４５０；５０６；６０６）は、前記１つまたは２つ以上のランセットガイドレール（８６、８８；４１８；４４０；４７０；６３２）上に前記ランセット構造（２４；４０６；４３２；４５０；５０６；６０６）を支持する支持面（６３４）を備えたレール走行構造を含んでおり、
前記ランセットハウジングアセンブリは、前記側壁（７８、８０；４４２）の１つまたは２つ以上に形成される１つまたは２つ以上のドロップダウンスロット（７４、７６、８１）をさらに備え、前記レール走行構造が、前記ランセット構造（２４；４０６；４３２；４５０；５０６；６０６）が後退すると前記皮膚貫入端（９０；４０８；４３４；４６２；５０８；６０８）が前記試薬材料（７２；４２６；４３６；４７８；５３２；６５０）に向かって移動するように、前記１つまたは２つ以上のドロップダウンスロット（７４、７６、８１）に整列するように配置されており、
前記方法は、前記皮膚貫入端（９０；４０８；４３４；４６２；５０８；６０８）を延出する前に、前記ランセット構造（２４；４０６；４３２；４５０；５０６；６０６）の前記皮膚貫入端（９０；４０８；４３４；４６２；５０８；６０８）を前記ランセット構造（２４；４０６；４３２；４５０；５０６；６０６）と共に前記ポート（２０）で下面（１０６；６３４）上に支持することをさらに備える
方法。
【請求項９】
前記ランセット区画（４０；４０５；４４４；４５８；５０５；６０５）内に、前記ポートから垂直にオフセットしている試薬材料（７２；４２６；４３６；４７８；５３２；６５０）を設けることをさらに備える請求項８記載の方法。
【請求項１０】
前記皮膚貫入端（９０；４０８；４３４；４６２；５０８；６０８）が前記試薬材料（７２；４２６；４３６；４７８；５３２；６５０）に向かって移動するように、付勢機構（１０８）を用いて前記ランセット構造（２４；４０６；４３２；４５０；５０６；６０６）に対して付勢力を与えることをさらに備える請求項９記載の方法。
【請求項１１】
モータを前記ランセット構造（２４；４０６；４３２；４５０；５０６；６０６）に接続することをさらに備える請求項８記載の方法。